(57)【要約】【課題】電線ヒューズが外部機材等との接触で破損することを防止することができ、且つ、電線ヒューズを低コスト化することができるヒュージブルリンクユニットを提供すること。【解決手段】標準装備の外部回路をバッテリ端子に接続する標準ヒューズエレメント１０と、外部のオプション回路を接続可能なオプション回路接続部２０と、オプション回路接続部２０とバッテリ端子との間の接続に使用される電線ヒューズ３０と、標準ヒューズエレメント１０及びオプション回路接続部２０を支持するヒューズ支持部４１と電線ヒューズ３０が配索経される電線ヒューズ配置部４５とを一体形成したヒューズボディ４０と、電線ヒューズ配置部４５に配索された電線ヒューズ３０の上を覆うカバーと、を備える。【選択図】図１
2014143098.tif 000002
【特許請求の範囲】
【請求項１】
金属板で一体形成されて標準装備の外部回路をバッテリ端子に接続する標準ヒューズエレメントと、
前記標準ヒューズエレメントとは別体に形成されて、外部のオプション回路を接続可能なオプション回路接続部と、
定格以上の電流が流れると溶断するヒートスポット部が電線芯線の途中に設けられて、前記オプション回路接続部と前記バッテリ端子との間の接続に使用される電線ヒューズと、
前記標準ヒューズエレメント及び前記オプション回路接続部を支持するヒューズ支持部と、前記オプション回路接続部と前記バッテリ端子とを繋ぐ前記電線ヒューズの配索経路を提供する電線ヒューズ配置部と、を絶縁性樹脂により一体形成したヒューズボディと、
前記電線ヒューズ配置部に着脱可能で、前記電線ヒューズ配置部に敷設された前記電線ヒューズの上を覆うカバーと、
を備えたことを特徴とするヒュージブルリンクユニット。
【請求項２】
請求項１に記載のヒュージブルリンクユニットにおいて、
前記ヒューズボディは、前記バッテリ端子に接続する前記標準ヒューズエレメントのバッテリ接続板部と前記オプション回路接続部とを、略同一平面上に支持していることを特徴とするヒュージブルリンクユニット。
【発明の詳細な説明】
【技術分野】
【０００１】
本発明は、オプション回路用に電線ヒューズが装備されるヒュージブルリンクユニットに関する。
【背景技術】
【０００２】
図４及び図５は、下記特許文献１に開示されたヒュージブルリンクユニットを示している。
【０００３】
このヒュージブルリンクユニット１００は、車載バッテリの出力端子（バッテリ端子）に直付けするタイプのもので、金属板により一体形成した標準ヒューズエレメント１１０と、外部のオプション回路を接続可能なオプション回路接続部１２０と、複数の電線ヒューズ１３０と、絶縁性樹脂により一体形成したヒューズボディ１４０と、を備える。
【０００４】
標準ヒューズエレメント１１０は、ターミナルアダプタ１５０を介して車載バッテリのバッテリ端子に接続されるバッテリ接続板部１１１と、標準装備の外部回路が接続される複数の標準回路接続部１１２と、この複数の標準回路接続部１１２をバッテリ接続板部１１１に接続すると共に定格以上の電流が流れると溶断する複数の可溶部１１３と、を金属板により一体形成したものである。
【０００５】
オプション回路接続部１２０は、図示はしていないが、外部のオプション回路を接続可能な複数の端子接続用ボルトを備えた構成である。複数の端子接続用ボルトは、カバー１２１の内側に配置されている。オプション回路接続部１２０は、標準ヒューズエレメント１１０とは別体に形成されている。
【０００６】
電線ヒューズ１３０は、図５に示すように、電線芯線１３１と、この電線芯線１３１の両端に圧着されたねじ止め用端子１３２，１３３と、電線芯線１３１の途中に形成される不図示のヒートスポット部と、このヒートスポット部を含む電線芯線１３１の周囲を覆う保護チューブ１３５と、を備えている。不図示のヒートスポット部は、定格以上の電流が流れると電線芯線１３１を溶断させる部位である。電線ヒューズ１３０は、オプション回路接続部１２０とバッテリ接続板部１１１との間の接続に使用され、オプション回路接続部１２０に接続されるオプション回路を過電流から保護する。
【０００７】
保護チューブ１３５は、ヒートスポット部を覆って外部機材等との干渉から保護すると同時に、ヒートスポット部が溶断した際の溶断部の飛散を防止する。
【０００８】
ヒューズボディ１４０は、標準ヒューズエレメント１１０を支持するエレメント支持部１４１と、オプション回路接続部１２０を支持するオプション用接続部支持部１４２と、を絶縁性樹脂で一体形成している。エレメント支持部１４１は、複数の可溶部１１３が外部機材に干渉しないように複数の可溶部１１３の周囲を囲う可溶部収容部１４１ａを有している。
【先行技術文献】
【特許文献】
【０００９】
【特許文献１】特開２０１０−２７７９８５号公報
【発明の概要】
【発明が解決しようとする課題】
【００１０】
ところが、特許文献１のヒュージブルリンクユニット１００の場合、ヒューズボディ１４０上に配索する電線ヒューズ１３０が外部に露出していて、電線ヒューズ１３０が外部機材等との接触で破損するおそれがある。
【００１１】
また、オプション回路の保護のために装備する電線ヒューズ１３０は、ヒートスポット部が溶断した際の溶断部の飛散を防止する保護チューブ１３５を備える構成で、保護チューブ１３５の装備のために電線ヒューズ１３０が高額化するという問題もある。
【００１２】
そこで、本発明の目的は、上記課題を解消することに係り、オプション回路用に装備される電線ヒューズが外部機材等との接触で破損することを防止することができ、且つ、前記電線ヒューズを低コスト化することができるヒュージブルリンクユニットを提供することにある。
【課題を解決するための手段】
【００１３】
本発明の前述した目的は、下記の構成により達成される。
（１）  金属板で一体形成されて標準装備の外部回路をバッテリ端子に接続する標準ヒューズエレメントと、
前記標準ヒューズエレメントとは別体に形成されて、外部のオプション回路を接続可能なオプション回路接続部と、
定格以上の電流が流れると溶断するヒートスポット部が電線芯線の途中に設けられて、前記オプション回路接続部と前記バッテリ端子との間の接続に使用される電線ヒューズと、
前記標準ヒューズエレメント及び前記オプション回路接続部を支持するヒューズ支持部と、前記オプション回路接続部と前記バッテリ端子とを繋ぐ前記電線ヒューズの配索経路を提供する電線ヒューズ配置部と、を絶縁性樹脂により一体形成したヒューズボディと、
前記電線ヒューズ配置部に着脱可能で、前記電線ヒューズ配置部に敷設された前記電線ヒューズの上を覆うカバーと、
を備えたことを特徴とするヒュージブルリンクユニット。
【００１４】
（２）  上記（１）に記載のヒュージブルリンクユニットにおいて、
前記ヒューズボディは、前記バッテリ端子に接続する前記標準ヒューズエレメントのバッテリ接続板部と前記オプション回路接続部とを、略同一平面上に支持していることを特徴とするヒュージブルリンクユニット。
【００１５】
上記（１）の構成によれば、オプション回路用にヒューズボディ上に配索される電線ヒューズは、電線ヒューズ配置部に着脱可能なカバーによって覆われる。そのため、オプション回路用に装備される電線ヒューズが外部機材等との接触で破損することを防止することができる。
【００１６】
また、電線ヒューズとして、ヒートスポット部を覆う保護チューブが省略された構造のものを使用しても、ヒートスポット部が溶断した際の溶断部の飛散は、電線ヒューズを覆うカバーにより防止することができる。また、電線ヒューズを覆うカバーを装備したことによって、電線ヒューズの溶断した電線芯線が周囲の金属部に接触する二次ショートの発生も、防止することができる。
【００１７】
従って、上記（１）の構成によれば、ヒューズボディに配索する電線ヒューズには、ヒートスポット部を覆う保護チューブが省略された構造のものを使用することができ、電線ヒューズを低コスト化することもできる。
【００１８】
上記（２）の構成によれば、電線ヒューズが配索される電線ヒューズ配置部の電線載置面は、ヒューズボディの一側に露呈する略平面状になるため、電線ヒューズの配索作業が容易になると共に、電線ヒューズの交換作業も容易になる。
【発明の効果】
【００１９】
本発明によるヒュージブルリンクユニットによれば、オプション回路用に装備される電線ヒューズを覆うカバーを備えて入るため、電線ヒューズが外部機材等との接触で破損することを防止することができる。カバーが、電線ヒューズのヒートスポット部が溶断した際の溶断部の飛散を防止すると共に、二次ショートの発生を防止する。そのため、ヒューズボディに配索する電線ヒューズとしては、ヒートスポット部を覆う保護チューブが省略された構造のものを使用することができ、電線ヒューズを低コスト化することもできる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は本発明に係るヒュージブルリンクユニットの一実施形態のカバーを取り外した状態の斜視図である。
【図２】図２は図１に示した電線ヒューズの斜視図である。
【図３】図３は図１に示したヒューズボディに、電線ヒューズを覆うカバーが装着された状態の斜視図である。
【図４】図４は従来のヒュージブルリンクユニットの斜視図である。
【図５】図５は図４にヒュージブルリンクユニットに装備されている電線ヒューズの斜視図である。
【発明を実施するための形態】
【００２２】
以下、本発明に係るヒュージブルリンクユニットの好適な実施形態について、図面を参照して詳細に説明する。
【００２３】
図１〜図３は本発明に係るヒュージブルリンクユニットの一実施形態を示したもので、図１は本発明の一実施形態のヒュージブルリンクユニットのカバーを取り外した状態の斜視図、図２は図１に示した電線ヒューズの斜視図、図３は図１に示したヒューズボディに、電線ヒューズを覆うカバーが装着された状態の斜視図である。
【００２４】
この一実施形態のヒュージブルリンクユニット１は、金属板製の標準ヒューズエレメント１０と、標準ヒューズエレメント１０とは別体のオプション回路接続部２０と、電線ヒューズ３０と、絶縁性樹脂製のヒューズボディ４０と、絶縁性樹脂製のカバー５０（図３参照）と、を備える。
【００２５】
標準ヒューズエレメント１０は、不図示のバッテリ端子に接続されるバッテリ接続板部１１と、標準装備の外部回路が接続される複数の標準回路接続部と、前記複数の標準回路接続部をバッテリ接続板部１１に接続すると共に定格以上の電流が流れると溶断する複数の可溶部と、を金属板により一体形成したものである。図１及び図３では、前記複数の標準回路接続部と、前記複数の可溶部とは、ヒューズボディ４０の内側に隠れている。
【００２６】
この標準ヒューズエレメント１０は、車両に標準装備の外部回路をバッテリ端子に接続するために使用される。
【００２７】
バッテリ接続板部１１は、ボルトを挿通させるボルト挿通孔１１ａを有していて、ボルトによる締結によって、不図示のバッテリ端子に導通接続される。
【００２８】
オプション回路接続部２０は、外部のオプション回路を接続可能な端子部である。本実施形態の場合、オプション回路接続部２０は、ヒューズボディ４０に支持された接続板部２１と、該接続板部２１に植設された端子接続ボルト２２とを備えている。
【００２９】
電線ヒューズ３０は、図２に示すように、電線芯線３１と、この電線芯線３１の両端に圧着されたねじ止め用圧着端子３２，３２と、電線芯線３１の途中に形成されるヒートスポット部３５と、を備えている。ヒートスポット部３５は、電線芯線３１の断面を細めると共に、その細めた部位に低融点金属チップ３５ａを溶着させた構成で、定格以上の電流が流れると電線芯線３１を溶断させる。
【００３０】
本実施形態の電線ヒューズ３０の場合、ヒートスポット部３５の周囲を覆う保護チューブは装備していない。
【００３１】
本実施形態の電線ヒューズ３０は、オプション回路接続部２０と不図示のバッテリ端子との間の接続に使用され、オプション回路接続部２０に接続される外部のオプション回路を過電流から保護する。電線ヒューズ３０のバッテリ端子への接続は、電線ヒューズ３０の一端のねじ止め用圧着端子３２を、バッテリ接続板部１１と共締めでバッテリ端子にねじ止めすることで達成される。
【００３２】
ヒューズボディ４０は、標準ヒューズエレメント１０及びオプション回路接続部２０を支持するヒューズ支持部４１と、電線ヒューズ３０が配索される電線ヒューズ配置部４５と、を絶縁性樹脂により一体形成されている。
【００３３】
ヒューズ支持部４１は、標準ヒューズエレメント１０を支持するエレメント支持部４２と、オプション回路接続部２０を支持するオプション用接続部支持部４３と、を備えている。
【００３４】
エレメント支持部４２は、標準ヒューズエレメント１０における複数の可溶部が外部機材に干渉しないように、標準ヒューズエレメント１０の一部を収容して支持している。
【００３５】
オプション用接続部支持部４３は、電線ヒューズ３０の一端のねじ止め用圧着端子３２をオプション回路接続部２０に接続可能なように、端子接続ボルト２２と接続板部２１の表面を露出させて支持している。
【００３６】
電線ヒューズ配置部４５は、オプション回路接続部２０とバッテリ接続板部１１とを繋ぐ電線配索経路Ｕ（図１に示した電線ヒューズ３０の配索形状に一致する）を含む電線載置面４５ａを備えており、電線配索経路Ｕに敷設される電線ヒューズ３０を電線載置面４５ａによって支える。
【００３７】
バッテリ接続板部１１はバッテリ端子に接続されるため、オプション回路接続部２０とバッテリ接続板部１１とを繋ぐ電線配索経路Ｕは、オプション回路接続部２０とバッテリ端子とを繋ぐ電線ヒューズ３０の配索経路に一致する。
【００３８】
即ち、電線ヒューズ配置部４５は、オプション回路接続部２０とバッテリ端子とを繋ぐ電線ヒューズ３０の配索経路を提供している。
【００３９】
また、本実施形態の場合、ヒューズボディ４０は、図１に示すように、標準ヒューズエレメント１０のバッテリ接続板部１１とオプション回路接続部２０とを、略同一平面上に支持している。また、電線ヒューズ配置部４５の電線載置面４５ａも、バッテリ接続板部１１やオプション回路接続部２０の支持面と略同一の高さに位置している。従って、電線載置面４５ａへの電線ヒューズ３０の配索は、略平面状での配索作業になる。
【００４０】
カバー５０は、電線ヒューズ配置部４５に着脱可能に形成され、図３に示すように、電線ヒューズ配置部４５に配索された電線ヒューズ３０の上を覆う。
【００４１】
以上に説明した一実施形態のヒュージブルリンクユニット１の場合、オプション回路用にヒューズボディ４０上に配索される電線ヒューズ３０は、電線ヒューズ配置部４５に着脱可能なカバー５０によって覆われる。そのため、オプション回路用に装備される電線ヒューズ３０が外部機材等との接触で破損することを防止することができる。
【００４２】
また、電線ヒューズ３０として、ヒートスポット部３５を覆う保護チューブが省略された構造のものを使用しているが、ヒートスポット部３５が溶断した際の溶断部の飛散は、電線ヒューズ３０を覆うカバー５０により防止することができる。また、電線ヒューズ３０を覆うカバー５０を装備したことによって、電線ヒューズ３０の溶断した電線芯線が周囲の金属部に接触する二次ショートの発生も、防止することができる。
【００４３】
従って、一実施形態のヒュージブルリンクユニット１の場合、ヒューズボディ４０に配索する電線ヒューズ３０には、ヒートスポット部３５を覆う保護チューブが省略された構造のものを使用することができ、電線ヒューズ３０を低コスト化することもできる。
【００４４】
また、一実施形態のヒュージブルリンクユニット１の場合、電線ヒューズ３０が配索される電線ヒューズ配置部４５の電線載置面４５ａは、ヒューズボディ４０の一側に露呈する略平面状になるため、電線ヒューズ３０の配索作業が容易になると共に、電線ヒューズ３０の交換作業も容易になる。
【００４５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、オプション回路接続部の装備位置や電線載置面の位置は、前述の一実施形態で示したヒューズボディの上面部に限らない。
【００４７】
また、ヒューズボディ上に装備するオプション回路接続部や電線ヒューズの数量を複数にすることも可能である。
【００４８】
ここで、上述した本発明に係るヒュージブルリンクユニットの実施形態の特徴をそれぞれ以下［１］〜［２］に簡潔に纏めて列記する。
【００４９】
［１］  金属板で一体形成されて標準装備の外部回路をバッテリ端子に接続する標準ヒューズエレメント（１０）と、
前記標準ヒューズエレメント（１０）とは別体に形成されて、外部のオプション回路を接続可能なオプション回路接続部（２０）と、
定格以上の電流が流れると溶断するヒートスポット部（３５）が電線芯線の途中に設けられて、前記オプション回路接続部（２０）と前記バッテリ端子との間の接続に使用される電線ヒューズ（３０）と、
前記標準ヒューズエレメント（１０）及び前記オプション回路接続部（２０）を支持するヒューズ支持部（４１）と、前記オプション回路接続部（２０）と前記バッテリ端子とを繋ぐ前記電線ヒューズ（３０）の配索経路を提供する電線ヒューズ配置部（４５）と、を絶縁性樹脂により一体形成したヒューズボディ（４０）と、
前記電線ヒューズ配置部（４５）に着脱可能で、前記電線ヒューズ配置部（４５）に敷設された前記電線ヒューズ（３０）の上を覆うカバー（５０）と、
を備えたことを特徴とするヒュージブルリンクユニット（１）。
【００５０】
［２］  上記［１］に記載のヒュージブルリンクユニット（１）において、
前記ヒューズボディ（４０）は、前記バッテリ端子に接続する前記標準ヒューズエレメント（１０）のバッテリ接続板部（１１）と前記オプション回路接続部（２０）とを、略同一平面上に支持していることを特徴とするヒュージブルリンクユニット（１）。
【符号の説明】
【００５１】
１  ヒュージブルリンクユニット
１０  標準ヒューズエレメント
１１  バッテリ接続板部
２０  オプション回路接続部
３０  電線ヒューズ
３５  ヒートスポット部
４０  ヒューズボディ
４１  ヒューズ支持部
４５  電線ヒューズ配置部
５０  カバー
【図１】
2014143098.tif 000003
【図２】
2014143098.tif 000004
【図３】
2014143098.tif 000005
【図４】
2014143098.tif 000006
【図５】
2014143098.tif 000007